(57)【特許請求の範囲】
【請求項１】
弾性を有するヘッドバンド部と前記ヘッドバンド部を係合するための係合部を具備し、
前記ヘッドバンド部には係合部と係合する複数の突起部が設けられ、
前記係合部にはヘッドバンド部を差し込む挿入孔とヘッドバンド部の突起部を嵌め込む嵌入溝が形成され、
ヘッドバンド部の長さ方向、幅方向、厚み方向において
前記突起部はヘッドバンド部の幅方向に形成された
ことを特徴とするゴーグルの長さ調節機構。
【請求項２】
前記ヘッドバンド部は係合部の挿入孔に対して外向きに差し込むようにした請求項１記載のゴーグルの長さ調節機構。
【請求項３】
レンズ部と請求項１又は２記載の長さ調節機構とを有するゴーグル。
【発明の詳細な説明】
【０００１】
【発明の属する技術分野】
この発明は、水中ゴーグルなどのゴーグルの長さ調節機構に関するものである。
【０００２】
【従来の技術】
従来より、水泳時に目を保護するため水中ゴーグルが愛用されている。
【０００３】
図１０に示すように、この水中ゴーグルは弾性ヘッドバンド11を有し、使用者が装着した際に適度なフィット感にするための長さ調節機構12を備えている。装着が緩すぎるとレンズ13内への水の浸入を招き、きつ過ぎると非常に締め付けられた感じがして使用感が悪いからである。
【０００４】
ところで使用時には、頭に水中ゴーグルを装着する前にヘッドバンド11の長さを大雑把に調節しておき、頭に実際に取り付けてみて緩すぎたりきつ過ぎたりした場合には頭から取り外して再度長さの調節を行う。
【０００５】
ところが、ヘッドバンド11の長さ調節機構12は使用時にずれ難いようにゴム相互が折り重なりこのゴム相互の摩擦力によってかなりきつく固定されるので、長さを再調節するには割に大きな指の力がいるという問題があった。
【０００６】
【発明が解決しようとする課題】
そこでこの発明は、装着時に従来のような力を必要としないゴーグルの長さ調節機構を提供しようとするものである。
【０００７】
【課題を解決するための手段】
前記課題を解決するためこの発明では次のような技術的手段を講じている。
（１）この発明のゴーグルの長さ調節機構は、弾性を有するヘッドバンド部と前記ヘッドバンド部を係合するための係合部を具備し、前記ヘッドバンド部には係合部と係合する複数の突起部が設けられ、前記係合部にはヘッドバンド部を差し込む挿入孔とヘッドバンド部の突起部を嵌め込む嵌入溝が形成され、ヘッドバンド部の長さ方向、幅方向、厚み方向において前記突起部はヘッドバンド部の幅方向に形成されたことを特徴とする。
【０００８】
このゴーグルの長さ調節機構は、係合部にヘッドバンド部を差し込む挿入孔とヘッドバンド部の突起部を嵌め込む嵌入溝が形成されたので、長さの調整時には係合部の挿入孔から差し込んだヘッドバンド部の突起部が嵌入溝から外れる方向に操作すると固定状態を解除しヘッドバンド部をずらすことができる。
【０００９】
また、差し込んだヘッドバンド部の突起部を係合部の嵌入溝に嵌め込むので、使用時にはヘッドバンド部はズレない。
（２）前記ヘッドバンド部は係合部の挿入孔に対して外向きに差し込むようにしてもよい。
【００１０】
このように構成すると、係合部の挿入孔からヘッドバンド部は外向きに出てくるので、頭に装着したままでもヘッドバンド部の長さの調整がし易い。
（３）レンズ部と請求項１又は２記載の長さ調節機構とを有するゴーグル。
【００１１】
ゴーグルの長さ調節機構の係合部は、レンズ部のレンズキャップとは別体として形成してもよいしまた一体的に形成してもよい。
【００１２】
【発明の実施の形態】
以下、この発明の実施の形態を図面を参照して説明する。
（実施形態１）
図１〜図３に示すように、この実施形態のゴーグルはヘッドバンドタイプの水中ゴーグルであり、左右に分かれたレンズ部１とその端部に連結されたヘッドバンド部２がループ状に連結されている。
【００１３】
このゴーグルの長さ調節機構は、ゴム弾性を有するヘッドバンド部２と前記ヘッドバンド部２を係合するための端部の係合部３を具備する。係合部３はレンズ部１のレンズキャップ４に嵌合させるように別体として形成しているのも好ましいが、一体的に形成する方法も好ましい。
【００１４】
前記ヘッドバンド部２には、係合部３と係合する長さ方向に略均等でほぼ一定の大きさの複数の突起部５が設けられている。ヘッドバンド部２における突起部５が設けられている領域は、魚の骨状若しくはのこぎり状、ムカデの足状、じゅず玉状の形状をしている。
【００１５】
前記係合部３には、ヘッドバンド部２を差し込む挿入孔６と、ヘッドバンド部２の突起部５を嵌め込む嵌入溝７が形成されている。
【００１６】
前記ヘッドバンド部２は、係合部３の挿入孔６に対して外向きに差し込むようにしている。このため係合部３の角度を通常よりゴーグルの外側（顔側が内側として）に０°以上傾斜させて、ヘッドバンド部２が顔に当たり難いようにしている。
【００１７】
前記嵌入溝７は、突起部５がちょうど嵌まり込むような形状に挿入孔６から間隔をおいて形成する。ヘッドバンド部２の突起部５の形状は、嵌入溝７から比較的容易な操作で開放できるような形状としている。また係合部３は立体的形状に形成しており、ヘッドバンド部２の突起部５が嵌入溝７に保持されている。このため、ヘッドバンド部２の突起部５と嵌入溝７との相互の引っ掛かりがよい。
【００１８】
次に、この実施形態のゴーグルの長さ調節機構の使用状態を説明する。
【００１９】
図３に示すように、係合部３にヘッドバンド部２を固定する際には、前記係合部３の挿入孔６からヘッドバンド部２を差し込み、ヘッドバンド部２を引っ張りながらその突起部５を嵌入後、嵌入溝７に嵌め込む。ヘッドバンド部２は、嵌入溝７に固定される。
【００２０】
このゴーグルの長さ調節機構は、係合部３にヘッドバンド部２を差し込む挿入孔６とヘッドバンド部２の突起部５を嵌め込む嵌入溝７から形成されているので、長さの調整時には係合部３の挿入孔６から差し込んだヘッドバンド部２の突起部５が嵌入溝７から外れる方向に操作すると引っ掛かりが外れて固定状態が解除され、ヘッドバンド部２をずらすことが可能な状態となる。
【００２１】
そして、ヘッドバンド部２の突起部５を１山づつ段階的にずらしてロックすることができ、装着時に従来の場合のような力を必要としないという利点がある。よって、指先の力が比較的に弱い子供や老人でも簡単にヘッドバンドの長さをスムーズに調節することができる。
【００２２】
また、長さ調節がし易くヘッドバンド部２を強く固定しなくてもホールド感を維持することができ非常に使い易いと共に、適度な強さで頭に装着することができるのでフィット感が向上して快適に使用でき、またレンズ内の気密性も好適に維持される。
【００２３】
さらに差し込んだヘッドバンド部２の突起部５を係合部３の嵌入溝７に嵌め込んでロック状態となっているので、使用時にはヘッドバンド部２はズレない。
【００２４】
その上、前記ヘッドバンド部２は係合部３の挿入孔６に対して顔側を内側として外向きに差し込むようにしており、係合部３の挿入孔６からヘッドバンド部２は外向きに出てくるので、頭に装着したままでもヘッドバンド部２の長さの調整がし易いという利点がある。
（実施形態２）
図４〜図６に示すように、この実施形態のゴーグルはヘッドバンドタイプの水中ゴーグルであり、左右に分かれたレンズ部１とその端部に連結されたヘッドバンド部２がループ状に連結されている。
【００２５】
このゴーグルの長さ調節機構は、ゴム弾性を有するヘッドバンド部２と前記ヘッドバンド部２を係合するための端部の係合部３を具備する。係合部３はレンズ部１のレンズキャップ４に嵌合させるように別体として形成しているのも好ましいが、一体的に形成する方法も好ましい。
【００２６】
前記ヘッドバンド部２には、係合部３と係合する長さ方向に略均等でほぼ一定の大きさの複数の突起部５が設けられている。ヘッドバンド部２における突起部５が設けられている領域は、魚の骨状若しくはのこぎり状、ムカデの足状、じゅず玉状の形状をしている。
【００２７】
前記係合部３には、ヘッドバンド部２を差し込む挿入孔６と、ヘッドバンド部２の突起部５を嵌め込む嵌入溝７、７’が形成されている。
【００２８】
前記ヘッドバンド部２は、係合部３の挿入孔６に対して外向きに差し込むようにしている。このため係合部３の角度を通常よりゴーグルの外側（顔側が内側として）に０°以上傾斜させて、ヘッドバンド部２が顔に当たり難いようにしている。
【００２９】
前記嵌入溝７、７’は、突起部５がちょうど嵌まり込むような形状に一定間隔をおいて形成する。ヘッドバンド部２の突起部５の形状は、嵌入溝７’から比較的容易な操作で開放できるような形状としている。また係合部３は立体的形状に形成しており、ヘッドバンド部２の突起部５が嵌入溝７、７’に保持されている。このため、ヘッドバンド部２の突起部５と嵌入溝７、７’との相互の引っ掛かりがよい。
【００３０】
次に、この実施形態のゴーグルの長さ調節機構の使用状態を説明する。
【００３１】
図６に示すように、係合部３にヘッドバンド部２を固定する際には、前記係合部３の挿入孔６からヘッドバンド部２を差し込み、ヘッドバンド部２を引っ張りながらその突起部５を嵌入後、嵌入溝７、７’に順次嵌め込んでいく。ヘッドバンド部２は、手前側の嵌入溝７で固定され、後側の嵌入溝７’で完全に固定される。
【００３２】
このゴーグルの長さ調節機構は、係合部３にヘッドバンド部２を差し込む挿入孔６とヘッドバンド部２の突起部５を嵌め込む嵌入溝７、７’から形成されているので、長さの調整時には係合部３の挿入孔６から差し込んだヘッドバンド部２の突起部５が嵌入溝７、７’から外れる方向に操作すると引っ掛かりが外れて固定状態が解除され、ヘッドバンド部２をずらすことが可能な状態となる。
【００３３】
そして、ヘッドバンド部２の突起部５を１山づつ段階的にずらしてロックすることができ、装着時に従来の場合のような力を必要としないという利点がある。よって、指先の力が比較的に弱い子供や老人でも簡単にヘッドバンドの長さをスムーズに調節することができる。
【００３４】
また、長さ調節がし易くヘッドバンド部２を強く固定しなくてもホールド感を維持することができ非常に使い易いと共に、適度な強さで頭に装着することができるのでフィット感が向上して快適に使用でき、またレンズ内の気密性も好適に維持される。
【００３５】
さらに差し込んだヘッドバンド部２の突起部５を係合部３の嵌入溝７、７’に嵌め込んでロック状態となっているので、使用時にはヘッドバンド部２はズレない。
【００３６】
その上、前記ヘッドバンド部２は係合部３の挿入孔６に対して顔側を内側として外向きに差し込むようにしており、係合部３の挿入孔６からヘッドバンド部２は外向きに出てくるので、頭に装着したままでもヘッドバンド部２の長さの調整がし易いという利点がある。
（実施形態３）
次に、実施形態３を上記実施形態との相違点を中心に説明する。
【００３７】
図７〜図９に示すように、係合部３は、ヘッドバンド部２の突起部５が嵌入溝７、７’から若干突出するような浅い形状としている。このため、ヘッドバンド部２の突起部５は嵌入溝７、７’からより外し易い。
【００３８】
【発明の効果】
この発明は上述のような構成であり、次の効果を有する。
【００３９】
長さの調整時には係合部の挿入孔から差し込んだヘッドバンド部の突起部が嵌入溝から外れる方向に操作すると固定状態を解除しヘッドバンド部をずらすことができるので、装着時に従来のような力を必要としないゴーグルを提供することができる。
【図面の簡単な説明】
【図１】この発明のゴーグルの長さ調節機構の実施形態１を説明する全体斜視図。
【図２】図１のゴーグルの長さ調節機構の分解斜視図。
【図３】図１のゴーグルの長さ調節機構の使用状態の斜視図。
【図４】この発明のゴーグルの長さ調節機構の実施形態２を説明する全体斜視図。
【図５】図４のゴーグルの長さ調節機構の分解斜視図。
【図６】図４のゴーグルの長さ調節機構の使用状態の斜視図。
【図７】この発明のゴーグルの長さ調節機構の実施形態３を説明する全体斜視図。
【図８】図７のゴーグルの長さ調節機構の分解斜視図。
【図９】図７のゴーグルの長さ調節機構の使用状態の斜視図。
【図１０】従来のゴーグルの長さ調節機構を説明する全体斜視図。
【符号の説明】
１  レンズ部
２  ヘッドバンド部
３  係合部
５  突起部
６  挿入孔
７  嵌入溝
７’嵌入溝
【図１】
0004577547.tif 000002
【図２】
0004577547.tif 000003
【図３】
0004577547.tif 000004
【図４】
0004577547.tif 000005
【図５】
0004577547.tif 000006
【図６】
0004577547.tif 000007
【図７】
0004577547.tif 000008
【図８】
0004577547.tif 000009
【図９】
0004577547.tif 000010
【図１０】
0004577547.tif 000011